(57)【特許請求の範囲】
【請求項１】
横編機で編糸の給糸口が歯口の外側方に移動している際に針床で編成中の編地から給糸口に渡る編糸を、歯口よりも下方から上方への上昇時に開いて捕捉可能とし、上昇後の下降時に閉じて捕捉しながら把持する把持機構が上端に備えられ、把持機構の下方に昇降機構が設けられる横編機の編糸把持装置において、
上昇後に下降する把持機構を閉じる途中の状態でロックさせ、編糸を把持する前の捕捉の段階に留めるロック部材と、
ロック後に把持機構が下降を続けるとロック部材に作用し、ロックを解除して把持機構に編糸を把持させる解除機構とを、
含むことを特徴とする横編機の編糸把持装置。
【請求項２】
前記ロック部材は、揺動変位可能に支持される支持部から二つのアームが延びて、一方のアームで前記ロックを行い、
前記解除機構は、前記昇降機構に設けられて、ロック部材の他方のアームに作用することを特徴とする請求項１記載の横編機の編糸把持装置。
【請求項３】
前記把持機構は、基端側が共通の揺動軸まわりに揺動変位するように重ねられる三枚の板状のニップ爪を有し、
外側の二枚のニップ爪は連結されて同方向に揺動変位し、内側のニップ爪は外側の二枚のニップ爪とは逆方向に揺動変位して、外側のニップ爪の先端側と内側のニップ爪の先端側とが開閉し、
前記ロック部材は、前記支持部が内側のニップ爪で揺動変位可能に支持され、前記一方のアームが外側の二枚のニップ爪のうちの一枚に作用して、前記捕捉の段階に留めることを特徴とする請求項２記載の横編機の編糸把持装置。
【請求項４】
前記外側のニップ爪および前記内側のニップ爪には、リンク機構を形成して開閉させるためのロッドがそれぞれ連結され、
前記ロック部材の支持部は、内側のニップ爪へのロッドの連結部分で揺動変位可能に支持されることを特徴とする請求項３記載の横編機の編糸把持装置。
【発明の詳細な説明】
【技術分野】
【０００１】
本発明は、針床の側方に設けられ、編糸を把持する横編機の編糸把持装置に関する。
【背景技術】
【０００２】
従来から、図７に簡略化して示すような横編機１には、少なくとも一対の針床２が歯口３を挟んで前後に対向するように設けられる。前後の針床２から歯口３には図示を省略している編針の先端側が進退し、セーターなどの製品を、最終形状に成形しながら筒状などの編地４として連続的に編成し、無縫製で製造することができる。このような編地４を連続して編成する際には、歯口３の上方を移動する給糸口５から編針に編糸６が供給される。編地４に対する編糸６の使用が終了すると、給糸口５は針床２の外側方に出る。編糸６は、編地４に編成されている最終ループから、給糸口５まで傾斜して延びる状態となる。【０００３】
次の編成のためには、編成された編地４を針床２の編針から歯口３の下方に排出して、編針を空ける必要がある。編糸６が最終ループから給糸口５まで繋がっている状態で編地４を排出すると、次に編成する編地４の開始ループにも編糸６が繋がり、順次製造される編地４の間で編糸６も連続する。編糸６が連続していると、編成された編地４の排出が円滑に行われず、排出後に連続している編糸６を切離す作業も必要となる。【０００４】
切断装置７は、編成された編地４から給糸口５まで延びる編糸６を切断するために設けられる。編糸６を切断すれば、編成された編地４の排出は円滑に行われ、排出後に編地４間の編糸６を切離す作業も不要となる。しかしながら、切断のみでは、給糸口５側に残る編糸６の先端が浮遊状態となってしまう。次の編地４の編成時に給糸口５が針床２上を移動しても、先端が浮遊状態の編糸６は給糸口５とともに移動してしまい、歯口３に進出する編針に供給して編地４の編成に使用することができなくなってしまう。【０００５】
把持装置８は、歯口３で前後の針床２から編針が進退する領域の側方に設けられ、給糸口５まで延びる編糸６を切断装置７で切断しても、編糸６の端を保持しておくことができる（たとえば、特許文献１参照）。次の編地４を編成する際には、給糸口５が歯口３の上方を移動して、歯口３に進退する編針に編糸６を供給することができる。把持装置８による編糸６の保持は、上端に設けられて開閉可能な把持機構９ａ，９ｂによって行われる。下降時に閉じている状態の把持機構９ａは、二点鎖線で示すように、編地４の最終ループから給糸口５まで傾斜して延びる編糸６を捕捉することができるように、開いている状態の把持機構９ｂとして上昇する。上昇後に下降を開始すると閉じている状態の把持機構９ａとなり、下降後に、閉じている状態の把持機構９ａと編地４との間の編糸６ａが切断装置７で切断される。下降後の把持装置８では、閉じている状態の把持機構９ａで、給糸口５から引出されて端糸となる編糸６ｂの先端を把持して、保持を続けることができる。
【特許文献１】特公平４−７４４６３号公報
【発明の開示】
【発明が解決しようとする課題】
【０００６】
特許文献１に開示されている把持装置８は、図７に示すように、閉じている状態の把持機構９ａが編糸６を把持して下降するために、編地４との間の編糸６ａは二点鎖線の状態から実線の状態まで引き延される。閉じている状態の把持機構９ａから給糸口５までの編糸６ｂは、二点鎖線の状態から実線の状態まで長くなっても、給糸口５から編糸６が補充される。給糸口５から編糸６ａへの編糸６の補充は行われないので、編糸６ａの張力が高くなる。編糸６ａの張力が過度に高くなると、編地４の最終ループの編目が詰むようになったり、次コースの編成時に糸切れしたりするおそれがある。編糸６の種類によっては、把持装置８で把持して下降する際に糸切れするおそれもある。【０００７】
糸切れに至らなくて、編目が詰むだけでも、編地４として無縫製の製品を製造するような場合は、詰んだ編目が表面に現れるため、品質上の問題となる。なお、編地４が縫製で製品化するパーツであれば、詰んだ編目の部分は一般的に縫い代として使用され、製品の表面には出ない。【０００８】
本発明の目的は、編糸を把持しても、編目が詰んだり、糸切れを起したりしない横編機の編糸把持装置を提供することである。
【課題を解決するための手段】
【０００９】
本発明は、横編機で編糸の給糸口が歯口の外側方に移動している際に針床で編成中の編地から給糸口に渡る編糸を、歯口よりも下方から上方への上昇時に開いて捕捉可能とし、上昇後の下降時に閉じて捕捉しながら把持する把持機構が上端に備えられ、把持機構の下方に昇降機構が設けられる横編機の編糸把持装置において、
上昇後に下降する把持機構を閉じる途中の状態でロックさせ、編糸を把持する前の捕捉の段階に留めるロック部材と、
ロック後に把持機構が下降を続けるとロック部材に作用し、ロックを解除して把持機構に編糸を把持させる解除機構とを、
含むことを特徴とする横編機の編糸把持装置である。【００１０】
また本発明で、前記ロック部材は、揺動変位可能に支持される支持部から二つのアームが延びて、一方のアームで前記ロックを行い、
前記解除機構は、前記昇降機構に設けられて、ロック部材の他方のアームに作用することを特徴とする。【００１１】
また本発明で、前記把持機構は、基端側が共通の揺動軸まわりに揺動変位するように重ねられる三枚の板状のニップ爪を有し、
外側の二枚のニップ爪は連結されて同方向に揺動変位し、内側のニップ爪は外側の二枚のニップ爪とは逆方向に揺動変位して、外側のニップ爪の先端側と内側のニップ爪の先端側とが開閉し、
前記ロック部材は、前記支持部が内側のニップ爪で揺動変位可能に支持され、前記一方のアームが外側の二枚のニップ爪のうちの一枚に作用して、前記捕捉の段階に留めることを特徴とする。【００１２】
また本発明で、前記外側のニップ爪および前記内側のニップ爪には、リンク機構を形成して開閉させるためのロッドがそれぞれ連結され、
前記ロック部材の支持部は、内側のニップ爪へのロッドの連結部分で揺動変位可能に支持されることを特徴とする
【発明の効果】
【００１３】
本発明によれば、横編機の編糸把持装置は、ロック部材と解除機構とを含む。ロック部材は、上昇後に下降する把持機構を閉じる途中の状態でロックさせ、編糸を把持する前の捕捉の段階に留めるので、下降中に給糸口から編糸を補充し、編糸の張力が過度に高くなるのを防ぎ、編目が詰んだり、糸切れを起したりしないようにすることができる。解除機構は、ロック後に把持機構が下降を続けるとロック部材に作用し、ロックを解除して把持機構に編糸を把持させるので、端糸となる編糸の先端を確実に保持しておくことができる。【００１４】
また本発明によれば、揺動変位可能な支持部から二つのアームが延びるロック部材を用いる簡単な構成で、昇降機構による昇降の際に、ロックとその解除とを行わせることができる。【００１５】
また本発明によれば、開閉するニップ爪の間で作用するロック部材を設けて、ニップ爪が閉じる途中でのロックを簡単に行わせることができる。【００１６】
また本発明によれば、ニップ爪を開閉するリンク機構を利用してロック部材を組込むことができるので、部品点数の増加を最小限に抑えることができる。
【図面の簡単な説明】
【００１７】
【図１】図１は、本発明の実施の一形態として、横編機の編糸把持装置１０の概略的な構成を示す正面図および部分的な背面図である。
【図２】図２は、図１の横編機の編糸把持装置１０で、揺動爪２６の爪部２６ａを操作板２２の切欠部２２ｂに嵌合させてロックさせている状態を示す正面図、左側面図および平面図である。
【図３】図３は、図１の横編機の編糸把持装置１０で、把持機構１０ａのロックを解除させる状態を示す正面図および部分的な背面図である。
【図４】図４は、図１の横編機の編糸把持装置１０で、把持機構１０ａの部品と支持ブロック４０との構成について示す正面図、左側面図および平面図である。
【図５】図５は、図１の横編機の編糸把持装置１０で、昇降機構１０ｂの部品として、取付板１８、フック１９、操作板２２および揺動爪２６の構成について示す正面図および左側面図である。
【図６】図６は、図１の横編機の編糸把持装置１０を備える横編機の側方の構成を示す分解斜視図である。
【図７】図７は、従来からの把持装置８を備える横編機１の構成を簡略化して示す部分的な正面図である。
【符号の説明】
【００１８】
１０  横編機の編糸把持装置
１０ａ  把持機構
１０ｂ  昇降機構
１０ｃ  捕捉空間
１１，１２，１３  ニップ爪
１３ａ  係止部
１４  ニップ軸
１５，１６  小ロッド
１７  ロッド軸
１８  取付板
１９  フック
２２  操作板
２３  引張りばね
２６  揺動爪
２８  ピニオン
３０  ロックレバー
４０  支持ブロック
【発明を実施するための最良の形態】
【００１９】
図１は、本発明の実施の一形態として、横編機の編糸把持装置１０の概略的な構成を示す。横編機の編糸把持装置１０は、基本的には特許文献１に開示されている糸把持装置と同様な構成を備え、上端に把持機構１０ａを有し、把持機構１０ａの下方には昇降機構１０ｂを有する。図は、横編機の編糸把持装置１０の捕捉段階でのロック状態を横編機の外側方から見た正面構成１０Ａとして示し、その裏面構成１０Ｂも部分的に示す。【００２０】
把持機構１０ａは、三枚のニップ爪１１，１２，１３を備え、外側の二枚のニップ爪１１，１３は連動し、内側のニップ爪１２との間で先端の開閉を行う。三枚のニップ爪１１，１２，１３は、共通のニップ軸１４を中心として揺動変位して、先端側を開閉する。ニップ爪１２とニップ爪１１，１３には、小ロッド１５，１６の上端がそれぞれ連結される。小ロッド１５，１６の下端は、ロッド軸１７で連結される。ニップ爪１１，１３およびニップ爪１２と、小ロッド１５，１６とは、ニップ軸１４とロッド軸１７との間隔の大小に応じて、先端間が開閉するようなリンク機構を形成している。【００２１】
ニップ軸１４は、取付板１８の上端付近に固定される。取付板１８は、大略的に、上下に延びる板状であり、中間には長孔１８ａが形成されている。取付板１８の一側方には、ラック１８ｂが形成されている。取付板１８の他側方には、カム凹部１８ｃが形成されている。取付板１８の下端付近には、フック１９がフック軸２０まわりに揺動変位可能な状態で取付けられる。フック１９は、大略的にＬ字状であり、長辺の先端がフック軸２０で揺動変位可能に支持される。フック１９の長辺は、側方から押しばね２１で押圧され、短辺の先端側に突出するように付勢される。【００２２】
ロッド軸１７は、操作板２２の上端付近に固定される。操作板２２は、引張りばね２３を介して、取付板１８に連結される。引張りばね２３は、操作板２２の中間に形成される長孔２２ａと取付板１８の長孔１８ａとで形成される空間に収容される。操作板２２は、取付板１８と重ねるようにして使用され、取付板１８でカム凹部１８ｃが形成されている側の側方に、切欠部２２ｂが形成されている。カム凹部１８ｃおよび切欠部２２ｂは、揺動軸２５まわりに揺動変位可能な揺動爪２６を動作させるために設けられている。揺動爪２６に取付けられるローラ２７がカム凹部１８ｃで案内され、揺動爪２６の先端の爪部２６ａが切欠部２２ｂに嵌合すると、操作板２２がロックされる。取付板１８と操作板２２との間のロックは、フック１９によっても行われる。【００２３】
取付板１８は、側方のラック１８ｂがピニオン２８に噛合している。取付板１８およびピニオン２８は、昇降機構１０ｂの主要部分となる。ピニオン２８の回転軸２９をモータなどで回転駆動すると、取付板１８を昇降変位させることができる。引張りばね２３は、取付板１８に対して操作板２２を接近するように付勢するので、把持機構１０ａは、リンク機構を介して閉じる方向に付勢される。取付板１８や操作板２２の昇降変位は、支持ブロック４０に対して摺動するように行われる。支持ブロック４０は、横編機で針床の側方に取付けられる。支持ブロック４０は、揺動爪２６の揺動軸２５と回転軸２９の支持も行うので、昇降機構１０ｂに主要部分として含まれる。支持ブロック４０の下部には、当接部４０ａが設けられ、フック１９の先端が当接すると、フック１９による取付板１８と操作板２２との間のロック状態を解除する。【００２４】
横編機の編糸把持装置１０は、把持機構１０ａに、閉じる途中の状態でリンク機構をロックさせ、編糸を把持する前の捕捉の段階に留めるロックレバー３０を含む。ロックレバー３０は、大略的にＬ字状であり、短いアーム３０ａの先端がニップ爪１３に設ける係止部１３ａに当接して係止する。ロックレバー３０は、正面構成１０Ａでは反時計回り方向に、線ばね３１で付勢される。短いアーム３０ａの先端と係止部１３ａの当接部分は、線ばね３１による反時計回り方向の付勢で、係止がはずれないようにされている。この当接状態は、ロックレバー３０の長いアーム３０ｂの先端付近に図の上方に向う力が付加されると、ロックレバー３０が時計回り方向に揺動変位して解除される。【００２５】
ロックレバー３０で短いアーム３０ａと長いアーム３０ｂとの中間部分が支持部となり、小ロッド１５の上端とニップ爪１２とを連結する連結ピン３２で揺動変位可能に支持される。小ロッド１６の上端は、二枚のニップ爪１１，１３の間に挟まれる状態で、連結ピン３３で相互に連結される。他のニップ爪１１，１２も、小ロッド１５，１６および連結ピン３２，３３、ロッド軸１７でリンク機構を形成しているので、ニップ爪１２とニップ爪１３との間が短いアーム３０ａでロックされれば、リンク機構全体がロックされ、把持機構１０ａが完全に閉じないようにすることができる。このように、ロックレバー３０はリンク機構をロックするロック部材として機能するけれども、配置する位置が変るような場合は、形状を変更して適合させることができる。【００２６】
ロック状態のニップ爪１１，１３とニップ爪１２との先端間には、捕捉空間１０ｃが形成され、編糸を捕捉しても把持しない状態で引下げることができる。把持機構１０ａが編糸を把持しないので、引下げる途中でも、把持機構１０ａから編地までの区間に、給糸口から捕捉空間１０ｃを通過させて編糸を補充することができる。把持機構１０ａと編地との間に過度の張力が掛らないので、把持機構１０ａが下降後に閉じて編糸を把持した後でも、編目が詰んだり、糸切れを起したりしないようにすることができる。【００２７】
図２は、揺動爪２６の爪部２６ａを操作板２２の切欠部２２ｂに嵌合させて、ニップ爪１１，１３とニップ爪１２とを開いてロックさせている状態を示す。ピニオン２８の回転で取付板１８が上昇しても、操作板２２の上昇は停止するので、正面構成１０Ａ、左側面構成１０Ｃおよび平面構成１０Ｄで示すように、把持機構１０ａは、ニップ爪１１，１３とニップ爪１２との間が開く。取付板１８の上昇を続けると、カム凹部１８ｃも上昇し、ローラ２７がカム凹部１８ｃから外れて平坦な側方部に移り、爪部２６ａによる切欠部２２ｂのロックは解除される。ただし、取付板１８と操作板２２との間は、フック１９によってもロックされ、把持機構１０ａは開いている状態で上昇を続ける。上昇後、図１に示すように、フック１９の先端が支持ブロック４０の下部の当接部４０ａに当接すると、ロックを解除する。ただし、取付板１８と操作板２２との間がロック解除で接近しても、前述のように、ロックレバー３０で把持機構１０ａが完全には閉じないように捕捉段階でロックすることができる。【００２８】
図３は、図１のように編糸を捕捉させた後で取付板１８を下降させ、ロックレバー３０の長いアーム３０ｂの先端付近を支持ブロック４０の上部に設けられる当接部４０ｂに当接させ、把持機構１０ａのロックを解除させる状態を示す。正面構成１０Ａおよび部分的な背面構成１０Ｂで示すように、ロックレバー３０の短いアーム３０ａの先端はニップ爪１３の係止部１３ａに対する当接状態から外れるので、引張りばね２３による付勢で把持機構１０ａは完全に閉じる。ニップ爪１１，１３とニップ爪１２との間で、図１のロック状態では形成されている捕捉空間１０ｃに捕捉されている編糸は、ニップ爪１１，１３とニップ爪１２との間での把持で保持される。編成開始時に端糸が把持機構１０ａの把持で確実に保持されるので、次の編地を支障なく編成することができる。【００２９】
図４および図５は、横編機の編糸把持装置１０を構成する主要な部品の構成を示す。各部品で、正面構成にはＡ、左側面構成にはＣ、平面構成にはＤを、部品の参照符号にそれぞれ付加して示す。【００３０】
図４は、把持機構１０ａの部品と支持ブロック４０とについて示す。ニップ爪１１，１２，１３のうち、外側の二枚のうちの一方のニップ爪１３には、係止部１３ａが形成される。ロックレバー３０は、正面構成３０Ａでは大略的にＬ字形状となり、短いアーム３０ａと長いアーム３０ｂとの中間が揺動変位の支持部３０ｃとなる。長いアーム３０ｂには、線ばね３１の上側部分を収容する段部３０ｄが形成されている。線ばね３１は、ロックレバー３０の段部３０ｄに収容される上側部分の先端３１ａが長いアーム３０ｂの先端側上部に突出し、ロックレバー３０を反時計回り方向に付勢する。線ばね３１の下側部分３１ｂは、操作板２２の上端付近で支持される。【００３１】
ロックレバー３０は、小ロッド１５，１６や、ニップ軸１４、連結ピン３２，３３などで構成するニップ爪１１，１２，１３を開閉するリンク機構の一部として組込むことができる。ロックレバー３０の長いアーム３０ｂは、支持ブロック４０の上部の当接部４０ｂに当接すると、ロックを解除する。したがって、支持ブロック４０の当接部４０ｂは、把持機構１０ａのロックを解除する解除機構として機能する。解除機構としての機能を果す部品を、支持ブロック４０とは別に設けることもできる。支持ブロック４０には、取付板１８および操作板２２を収容する案内溝４０ｃ、４０ｄが表裏に形成され、横編機の編糸把持装置１０を二組支持することができる。【００３２】
図５は、昇降機構１０ｂの部品として、取付板１８、フック１９、操作板２２および揺動爪２６について示す。取付板１８には、長孔１８ａ、ラック１８ｂおよびカム凹部１８ｃが設けられる。さらに取付板１８には、ニップ軸１４の取付孔１８ｄ、ロッド軸１７の頭部の逃しとなる長孔１８ｅ、引張りばね２３の上端支持ピンの取付孔１８ｆ、フック軸２０の取付孔１８ｇなども設けられる。フック１９は、Ｌ字状の形状を有し、長辺と短辺との中間部１９ａが操作板２２の下部に当接して取付板１８と操作板２２との間をロックする。フック１９の長辺側の先端には、フック軸２０の挿入孔１９ｂが形成される。【００３３】
操作板２２には、長孔２２ａおよび切欠部２２ｂが形成される。操作板２２には、さらに、ロッド軸１７の取付孔２２ｃ、引張りばね２３の下端支持ピンの取付孔２２ｄおよびフック１９の中間部１９ａがロック状態で当接する当接部２２ｅがそれぞれ形成される。操作板２２の上端付近には、線ばね３１の下側部分３１ｂを支持するばね支持部２２ｆも形成される。揺動爪２６も大略的にＬ字状であり、先端の爪部２６ａが操作板２２の切欠部２２ｂに嵌合するとともに、揺動軸２５が挿通する挿通孔２６ｂが設けられる。また、挿通孔２６ｂ付近で、爪部２６ａ側の位置には、ローラ２７が取付けられている。【００３４】
図６は、一台の横編機の一側方に、二組の横編機の編糸把持装置１０を備える構成を、分解斜視の状態で示す。駆動装置５０は、二本の回転軸２９を回転駆動するモータを内蔵し、横編機のフレームで、針床の側面に対向するように支持される。二組の横編機の編糸把持装置１０は、駆動装置５０と針床の側面との間に配置される支持ブロック４０の案内溝４０ｃ，４０ｄに収容される。針床の側面に近い位置には、切断装置支持ブロック５１が取付けられ、図７に簡略化して示す切断装置７と同様な機能の切断装置を収容する。切断装置の駆動力も、駆動装置５０から取出されて伝達される。横編機の編糸把持装置１０と切断装置支持ブロック５１との間には、カバー板５２，５３が配置される。横編機としては前後方向となる支持ブロック４０の側方には、板ばね５４が取付けられる。板ばね５４は、揺動爪２６を外側方から押圧し、図２の状態で、爪部２６ａを操作板２２の切欠部２２ｂ側に押しつけるように付勢する。把持機構１０ａで、ロックレバー３０は、ニップ爪１２に対して、ニップ爪１３と同じ側に配置されるので、捕捉段階でのロックのための構成をコンパクトに収めることができる。【００３５】
以上のような横編機の編糸把持装置１０は、昇降機構１０ｂによる上下動で、把持機構１０ａを開閉し、閉じる途中のロック状態で編糸を捕捉空間１０ｃ内に捕捉する段階に保つことができる。捕捉した編糸を下降させても、把持機構１０ａと編地との間には給糸口から捕捉空間１０ｃを通して編糸が補充されるので、過度の張力が掛らず、編目の詰りや糸切れを避けることができる。図３のように、ロックレバー３０の長いアーム３０ｂの先端付近に上向きの力を付加すると、ロック状態を解除して、把持機構１０ａは閉じ、捕捉した編糸を把持することができる。【００３６】
図３の状態では、フック１９による取付板１８と操作板２２との間のロックも外れ、揺動爪２６による操作板２２と支持ブロック４０との間のロックも外れている。ただし、ローラ２７は、取付板１８のカム凹部１８ｃには嵌合しているので、爪部２６ａは切欠部２２ｂの上方に進入している。ピニオン２８を回転させて、取付板１８を上昇させると、引張りばね２３で引張られて操作板２２も上昇するけれども、図２に示すように、爪部２６ａが切欠部２２ｂに当接して、上昇しないようにロックされる。ピニオン２８の回転駆動で取付板１８の上昇を続けると、ロックされて停止している操作板２２に取付けられているロッド軸１７と、上昇する取付板１８に取付けられているニップ軸１４との間隔が開く。ニップ爪１１，１３およびニップ爪１２と、小ロッド１５，１６とで形成するリンク機構は、ニップ爪１１，１３の先端とニップ爪１２の先端との間を開くように作動する。下方では、フック１９による取付板１８と操作板２２との間がロックされるようになる。フック１９で取付板１８と操作板２２との間がロックされると、取付板１８が上昇を続けても、ロックされている状態は継続し、把持機構１０ａは開いている状態を保つ。【００３７】
取付板１８が上昇すると、ローラ２７よりもカム凹部１８ｃの位置が高くなり、揺動爪２６の爪部２６ａは操作板２２の切欠部２２ｂから外れ、操作板２２の支持ブロック４０に対するロックは解除される。支持ブロック４０に対する操作板２２のロックが解除されると、取付板１８の上昇に連動して操作板２２も上昇する。取付板１８と操作板２２との間隔は、フック１９によるロックで維持され、把持機構１０ａは開いている状態を保つ。取付板１８の上昇を続けて、図１に示すように、フック１９の短辺側の先端が支持ブロック４０の下部の当接部４０ａに当接すると、取付板１８に対する操作板２２のロックが外れ、引張りばね２３による引張力で、操作板２２は急上昇し、ニップ軸１４とロッド軸１７との間隔が小さくなるので、把持機構１０ａは閉じようとする。ただし、ロックレバー３０によるロックで、把持機構１０ａは完全には閉じないで、把持空間１０ｃを残す捕捉段階に留まる。この把持機構１０ａのロック状態は、取付板１８を下降させて、図３に示すように、ロックレバー３０の長いアーム３０ｂの先端が支持ブロック４０の上部の当接部４０ｂに当接するまで継続する。長いアーム３０ｂが当接部４０ｂに当接すると、把持機構１０ａのロック状態は解除され、完全に閉じるようになる。
【図１】
0005414683.tif 000002
【図２】
0005414683.tif 000003
【図３】
0005414683.tif 000004
【図４】
0005414683.tif 000005
【図５】
0005414683.tif 000006
【図６】
0005414683.tif 000007
【図７】
0005414683.tif 000008